(57)【要約】【課題】  ネット型のたわしに特徴的な水切れの良さを生かしながら、なおかつ使用する際に周囲への水の飛散が起きず、さらに一々丸めなくても使用できるネット型のたわしを提供する。【解決手段】  複層の合成樹脂製ネット５を布巾状に形成したたわし本体１の表面１ａに、合成樹脂製ネットでそのたわし本体１を小さく丸めて収めることができる大きさのポケット２を、空間を置いて重ね合わせてそのポケットの外周２ａを縫い合わせ、ポケット中央部２ｂを円形に開封してポケット開口部３を形成する。  そして、前記ポケット開口部３から、ポッケトを反転させてたわし本体１を出し入れし、ポッケト２の中に襞部７が収納された状態と広げられた状態の２つの異なった状態で使用できるようにする。【選択図】    図２
2006239358.tif 000002
【特許請求の範囲】
【請求項１】
単層又は複層の合成樹脂製ネットを布巾状に形成したたわし本体の表面に、合成樹脂製ネットでそのたわし本体を小さく丸めて収めることができる大きさのポケットを、そのポケット外周部の一部を除く大半を固着して重ね合わせ状態に形成し、ポケット外周部にポケット開口部を形成したことを特徴とする反転ポッケト付きネットたわし。
【請求項２】
単層又は複層の合成樹脂製ネットを布巾状に形成したたわし本体の表面に、合成樹脂製ネットでそのたわし本体を小さく丸めて収めることができる大きさのポケットを、重ね合わせ状態とするとともにポケット外周部を固着し、そのポケットの表裏いずれか一方の表面の一部を開封してポケット開口部を形成したことを特徴とする反転ポッケト付きネットたわし。
【請求項３】
重ね合わせ状態とした複層の合成樹脂製ネットを布巾状に形成したたわし本体の中央域の一定範囲で囲いその囲った外周部を固着してそのたわし本体を小さく丸めて収めることができる大きさの袋状のポッケトを形成し、そのポケットの表裏いずれか一方の表面の一部を開封してポケット開口部を形成したことを特徴とする反転ポッケト付きネットたわし。
【請求項４】
ポケット開口部を、ポケット外周部寄りに形成したことを特徴とする請求項２に記載の反転ポッケト付きネットたわし。
【請求項５】
ポケット開口部を、ポケット中央部に形成したことを特徴とする請求項２に記載の反転ポッケト付きネットたわし。
【請求項６】
ポケット開口部の端縁を、突合せ乃至重ね合わせ状態に形成したことを特徴とする請求項２乃至４のうち少なくともいずれか一項に記載の反転ポッケト付きネットたわし。
【請求項７】
ポケット開口部の端縁を、円形状に形成したことを特徴とする請求項２乃至４のうち少なくともいずれか一項に記載の反転ポッケト付きネットたわし。
【請求項８】
ポケット開口部を、４指が差込可能な大きさに形成したことを特徴とする請求項１乃至６のうち少なくともいずれか一項に記載の反転ポッケト付きネットたわし。
【発明の詳細な説明】
【技術分野】
【０００１】  本発明は合成樹脂製のネットを布巾状に形成したネット型のたわしに関する。
【背景技術】
【０００２】  これまで、合成樹脂製のネットを布巾状の複層に重ね合わせたり、丸めた状態にしたネット型のたわしが提供されている。
それらのネット型のたわしは、従来のスポンジ型のタワシなどに比べて目が荒いので水切れが良い。
しかし、丸めたネット型のたわしは、その内部までの水切れが容易にできず、このため干した時に内部までの乾燥が遅くなり雑菌の繁殖を招き易くなるため衛生面での問題があった。
そこで、最近では乾燥が速く雑菌の繁殖が起きないことを評価して、一枚ものや複数重ね合わせて布巾のようにした合成樹脂製のネット型のたわしが多く使用されるようになった。
しかし、これを使用する際には、手加減をしても手からはみ出したネット周囲の襞部が振れて水滴が飛散し、周囲を汚したり、洗浄する際にそのはみ出し部分が邪魔になって洗いにくいなどの欠点があった。
また、布巾状のたわしは常には開いた状態になっているので、使用する際には一旦丸めて使用するが、手を離すとまたすぐに開いてしまうので、一回洗う毎に行う丸めるための作業は大変面倒であった。
【発明の開示】
【発明が解決しようとする課題】
【０００３】  本発明は、上記実情に鑑みてなされたもので、布巾状のネット型たわしに特徴的な水切れの良さを生かし、洗濯する際には、開いて干すことできるようにすることで速や且つ完全に乾燥させることができ、使用する際には丸めた状態で使用することができるようにすることで周囲への水滴の飛散を起こさずに流し場を清潔に保つことが可能となるネット型のたわしを提供するものである。
【課題を解決するための手段】
【０００４】  上記課題を解決するために、本発明の反転ポッケト付きネットのうち請求項１に記載の発明は、単層又は複層の合成樹脂製ネットを布巾状に形成したたわし本体の表面に、合成樹脂製ネットでそのたわし本体を小さく丸めて収めることができる大きさのポケットを、そのポケット外周部の一部を除く大半を固着して重ね合わせ状態に形成し、ポケット外周部にポケット開口部を形成したことを特徴とする。【０００５】  請求項２に記載の発明は、単層又は複層の合成樹脂製ネットを布巾状に形成したたわし本体の表面に、合成樹脂製ネットでそのたわし本体を小さく丸めて収めることができる大きさのポケットを、重ね合わせ状態とするとともにポケット外周部を固着し、そのポケットの表裏いずれか一方の表面の一部を開封してポケット開口部を形成したことを特徴とする。【０００６】  請求項３に記載の発明は、重ね合わせ状態とした複層の合成樹脂製ネットを布巾状に形成したたわし本体の中央域の一定範囲で囲いその囲った外周部を固着してそのたわし本体を小さく丸めて収めることができる大きさの袋状のポッケトを形成し、そのポケットの表裏いずれか一方の表面の一部を開封してポケット開口部を形成したことを特徴とする。【０００７】  請求項４に記載の発明は、上記請求項２に記載の発明の構成において、前記ポケット開口部を、ポケット外周部寄りに形成したことを特徴とする。【０００８】  請求項５に記載の発明は、上記請求項２に記載の発明の構成において、前記ポケット開口部を、ポケット中央部に形成したことを特徴とする。【０００９】  請求項６に記載の発明は、上記請求項２乃至４のうち少なくともいずれか一項に記載の発明の構成において、前記ポケット開口部の端縁を、突合せ乃至重ね合わせ状態に形成したことを特徴とする。【００１０】  請求項７に記載の発明は、上記請求項２乃至５のうち少なくともいずれか一項に記載の発明の構成において、前記ポケット開口部の端縁を、円形状に形成したことを特徴とする。【００１１】  請求項８に記載の発明は、上記請求項２乃至６のうち少なくともいずれか一項に記載の発明の構成において、前記ポケット開口部を、４指が差込可能な大きさに形成したことを特徴とする。
【発明の効果】
【００１２】  本発明は上記構成なので、使用する時には、合成樹脂製ネットのたわし本体を、ポッケトを反転させることによって周囲の襞部分も含めて全てポッケトの中に丸めて収納することができる。
このため、使用する時に手からはみ出す部分がなくなるので、周囲への水滴の飛散が起こらず、洗い場の清潔が保てる。
また、従来のネット型たわしは一回洗うたびに毎回手の中に握りこみやすいように丸める作業の煩わしさがあったが、本発明はポッケトの中にたわし本体を丸めた状態で収納しておけるので大変に使い易くなった。
また、たわし本体をポッケトの中から出して広げた状態にしておけるので、洗濯するときには平面状に開いいて汚れが良く落ちる。
そして、干すときには、そのまま物干し竿に吊れば、広げたネットなので通風性が高く水切れも良く、全面的に早く乾燥し、雑菌の繁殖は起こらずに極めて衛生的となる。
なお、丸めたネット型のたわしと比べると本発明の平面状のたわし本体は花柄などデザイン的に工夫の可能性が広がり、趣向を凝らしたものが提供できようになる。
【発明を実施するための最良の形態】
【００１３】  本発明の実施の形態について以下詳しく説明する。
本発明の反転ポッケト付きネットたわしは、図３及び図６に示すように、柔らかい合成樹脂製ネットを布巾状に形成したたわし本体１の表面１ａに、そのたわし本体と同様の合成樹脂製ネットでたわし本体１の大きさよりも小さく且つ少なくともそのわし本体を小さく丸めて収めることができる大きさのポケット２を、そのポケット外周部２ａの一部を除く大半を縫い合わせで固着して重ね合わせ状態に形成して、縫わない部分のポケット外周部２ａにポケット開口部３を形成する。
なお図中の破線（符号４）は縫い目である。【００１４】  この形態では、前記ポケット開口部３を、４指が差込可能な大きさに形成すると、図９に示すように、ポッケトの中にたわし本体１の襞部分を丸めた状態で収納しておいて、食器などを洗うときに、丸まった側面から４指を差込んで、そのままコップなど深い器の奥の方まで容易に差し込んで洗うことができるので使い易くなる。【００１５】  また、これとは別に、図１及び図２に示すように、複層の合成樹脂製ネット５を布巾状に形成したたわし本体１の表面１ａに、合成樹脂製ネットでそのたわし本体１を小さく丸めて収めることができる大きさのポケット２を、空間を置いて重ね合わせ状態とし、そのポケット外周部２ａの全てを縫い合わせで固着し、そのポケットの表面の一部を開封してポケット開口部３を形成する。
前記ポケット開口部３は、図１に示すように、ポケット外周部２ａ寄りに形成した形態と、図４に示すように、ポケット中央部２ｂに形成した形態とが可能である。
また、前記ポケット開口部３は、そのポケットの裏側の一部、即ち、図５の（イ）に示す、ポケット裏打ち部のポケットの内面６ａ部分を開封してポケット開口部３を形成することもできる（図省略）。【００１６】  さらに、これとは別に、重ね合わせ状態とした複層の合成樹脂製ネットを布巾状に形成したたわし本体１の中央域の一定範囲で囲いその囲った外周部を全てを縫い合わせて固着してそのたわし本体を小さく丸めて収めることができる大きさの袋状のポッケト２を形成し、そのポケットの表裏いずれか一方の表面の一部を開封してポケット開口部を形成することもできる（図省略）。【００１７】  そして、前記ポケット開口部の端縁は、図１及び図２に示すように、円形状に形成した形態や、図４に示すように、細長く形成した形態が可能である。
また前記ポケット開口部３の端縁３ａをポケット外周部２ａ寄りに細長く形成した形態では、ポケット外周部２ａの縫い合わせ部分に形成した場合と同様に、ポケット開口部３を、４指が差込可能な大きさに形成すれば、食器などを洗うときに、丸まった側面から４指を差込んで、そのままコップなど深い器の奥の方に差し込んで洗うことができる。【００１８】  また、前記ポケット開口部３の端縁３ａは上記の如く円形状や細長状に形成する他に、突合せとしたり重ね合わせ状態に形成することができる。
なお、用いる合成樹脂製ネットはビニール製などのある程度の硬さを有して柔軟なものを使用する。その硬さは洗いたいものの材質に合わせて選べるようにすることができる。【００１９】（使用方法）
次に本発明の反転ポッケト付きのネットたわしのポッケトを反転させて使用する方法について、図１に示すポケット開口部３をポッケト中央２ｂに円形状に形成した形態に基づいて以下説明する。
まず、図５の（イ）に示すように、たわし本体１が開いた状態から、図６及び図５の（ロ）に示すように、ポケットの開口部３から指を挿し入れて、たわし本体１のポケット裏打ち部のポケットの内面６ａを抓み、ポケットの開口部３から引き出す。
そしてさらに引いて、図５の（ハ）に示すように、ポッケトの開口部３を襞部７側に反転させる。このときポケット外面２ｂが内側に、ポケットの内面２ｃが外側になり表裏逆転する。【００２０】  さらに、その襞部７分の全てをポッケトの開口部３からポッケト２の中に丸めて押し込める。このとき、ポケット裏打ち部のポケットの内面６ａが外側のポケットの袋の一部となり、ポケット裏打ち部のたわし本体の裏面６ｂがポケットの袋の内側になる。
そして、図５の（ニ）に示すように、反転したポッケト２の中に襞部７が全部収納されて丸まった状態のたわしとなる（図８及び図９も参照）。
このように本発明では一枚のたわしで、反転ポッケト２の中に襞部７が収納された状態（図１０に示す状態）と広げられた状態（図１１に示す状態）の２つの異なった状態での使用が可能となる。
また、洗濯し、干すときには、通風性を良くし乾燥し易くするためにたわし本体１を開いておく。【００２１】  なお、従来の丸められているたわしでは広げられないので自由なデザインができなかったが、本発明では、平面状にもなるので、図１では、花をデザインした形となっているが、他に木の葉や動物の顔などデザイン的に工夫の可能性が広がり、趣向を凝らしたものができる利点がある。
【図面の簡単な説明】
【００２２】
【図１】  本発明のポケットの開口部を中央に形成した形態を示す斜視図。
【図２】  たわし本体を複層の合成樹脂製ネットで形成し開口部を中央部に形成した形態の一部を切欠した状態を示す斜視図。
【図３】  ポケットを外周の一部を除いて開口部とした形態を示す斜視図。
【図４】  ポケットの開口部をポケット外周部寄りに形成した形態を示す斜視図。
【図５】  （イ）が広げた状態の、（ロ）がたわし本体をポケットから引き出す途中の、（ハ）がポケットを反転させた状態の（ニ）が丸めた状態の、たわし本体をポケットに入れる各過程を示す各縦断側面図。
【図６】  ポケットを外周の一部を除いて開口部とした形態を示す斜視図。
【図７】  ポケットを反転させたわし本体をポケットから引き出している過程を示す斜視図。
【図８】  ポケットの開口部を中央に形成した形態のたわし本体をポケットに収納し丸めた状態を示す斜視図。
【図９】  ポケットの開口部をポケット外周部寄りに形成した形態のたわし本体をポケットに収納し丸めた状態を示す斜視図。
【図１０】  たわし本体をポケットに収納し丸めた状態の使用状態を示す斜視図。
【図１１】  たわし本体を広げた状態の使用状態を示す斜視図。
【符号の説明】
【００２３】    １    たわし本体
１ａ  たわし本体の表面
２    ポケット
２ａ  ポケット外周部
２ｂ  ポケットの外面
２ｃ  ポケットの内面
３    ポケット開口部
３ａ  ポケット開口部の周縁
４    縫い目
５    複数重層のたわし本体
６ａ  ポケット裏打ち部のポケットの内面
６ｂ  ポケット裏打ち部のたわし本体の裏面
７    襞部
【図１】
2006239358.tif 000003
【図２】
2006239358.tif 000004
【図３】
2006239358.tif 000005
【図４】
2006239358.tif 000006
【図５】
2006239358.tif 000007
【図６】
2006239358.tif 000008
【図７】
2006239358.tif 000009
【図８】
2006239358.tif 000010
【図９】
2006239358.tif 000011
【図１０】
2006239358.tif 000012
【図１１】
2006239358.tif 000013